(57)【要約】【課題】複数の照明装置を隣接して設置することのできる照明装置を提供する。【解決手段】本発明の照明装置１ａは、Ｔバー２に設置されるシステム天井用の照明装置である。照明装置１ａは、Ｔバー２に設置される照明装置本体１０と、照明装置本体１０の内部に設置される光源１１と、Ｔバー２に照明装置本体１０を支持するための少なくとも２対の支持部材１７ａ・１７ａ、１７ａ’・１７ａ’とを備えている。そして、対をなす一方の支持部材１７ａ（１７ａ’）と、他方の支持部材１７ａ（１７ａ’）とは、互いに対向して配置された位置からずれて設けられている。【選択図】図１
2012226879.tif 000002
【特許請求の範囲】
【請求項１】
外部に設けられたフレームに設置される照明装置であって、
上記フレームに設置される照明装置本体と、
上記照明装置本体に設置される光源と、
上記フレームに照明装置本体を支持するための少なくとも１対の支持部材とを備え、
対をなす一方の支持部材と、他方の支持部材とが、互いに対向して配置された位置からずれて設けられていることを特徴とする照明装置。
【請求項２】
外部に設けられたフレームに複数隣接して設置することのできる照明装置であって、
上記フレームに設置される照明装置本体と、
上記照明装置本体に設置される光源と、
上記フレームに照明装置本体を支持するための少なくとも１対の支持部材とを備え、
対をなす一方の支持部材と、他方の支持部材とが、上記フレームに照明装置を隣接して設置した際に各々の支持部材が重なり合うのを防止すべく設けられていることを特徴とする照明装置。
【請求項３】
上記フレームから照明装置本体が脱落するのを防止する、少なくとも１対の脱落防止部材を備え、
上記少なくとも１対の脱落防止部材は、互いに対向して配置された位置からずれて設けられていることを特徴とする請求項１又は２に記載の照明装置。
【請求項４】
上記支持部材および脱落防止部材は、上記照明装置本体の異なる面に設けられていることを特徴とする請求項３に記載の照明装置。
【請求項５】
上記支持部材は、２対以上であり、かつ、上記照明装置本体の端部に設けられていることを特徴とする請求項１〜４のいずれか１項に記載の照明装置。
【発明の詳細な説明】
【技術分野】
【０００１】
本発明は、複数の照明装置を隣接して設置することのできる照明装置に関する。
【背景技術】
【０００２】
近年、複雑化、多様化する高層ビルやインテリジェントビルなどでは、省施工性、快適性、経済性、安全性あるいはレイアウトの自由度といった観点から、システム天井（グリッドシステム天井）が採用されている。このシステム天井は、天井に金属製のＴバー（骨組み）を格子状に施設し、施設したＴバーの上に天井仕上げ材を載せて施工するものである。システム天井は、間仕切りに合わせて効率的なレイアウトが可能である。
【０００３】
例えば、特許文献１には、システム天井に設置されるシステム天井用照明装置が開示されている。図１４は、特許文献１の照明装置１００を床側から見た平面図である。図１４のように、照明装置１００では、光源ユニット１５０が本体フレーム１７０に対して着脱可能に設置されている。また、本体フレーム１７０は、１対のＴバー取り付け金具１８０・１８０により、システム天井の格子状に施設されたＴバーの所要箇所に固定される。
【先行技術文献】
【特許文献】
【０００４】
【特許文献１】特開２０１０−１９８８５９号公報（２０１０年９月９日公開）
【発明の概要】
【発明が解決しようとする課題】
【０００５】
しかしながら、従来のシステム天井用照明装置では、複数の照明装置を隣接して設置することは想定されていない。
【０００６】
具体的には、従来のシステム天井では、格子状のＴバーの９マスが１つのユニットとなっている。基本的には、ユニットの中央の格子に、照明装置が設置され、照明装置が設置された格子の周囲に配置された８つの格子に、照明装置以外の設備（例えば、天井ボード、空調、スピーカー等）が設置される。このようなユニットを組み合わせて、任意のレイアウトが実現される。このように、従来のシステム天井では、１つのユニットに対し、１つの照明装置を設置すること（９面１灯）を前提としており、複数の照明装置を隣接して設置することは想定されていない。
【０００７】
また、特許文献１の照明装置１００では、本体フレーム１７０に形成された１対のＴバー取り付け金具１８０が、互いに対向する本体フレーム１７０の辺の中央に、対称に配置されている。このため、例えば、２つの照明装置１００・１００を、光源ユニット１５０の長手方向に隣接して設置しようとしても、一方の照明装置１００のＴバー取り付け金具１８０と、他方の照明装置１００のＴバー取り付け金具１８０とが、Ｔバーの同じ取り付け位置に位置して重なり合った状態（互いに干渉し合う状態）となる。従って、複数の照明装置１００を隣接して設置することはできない。
【０００８】
そこで、本発明は、上記従来の問題点に鑑みてなされてものであり、その目的は、複数の照明装置を隣接して設置することのできる照明装置を提供することにある。
【課題を解決するための手段】
【０００９】
本発明に係る照明装置は、上記の課題を解決するために、外部に設けられたフレームに設置される照明装置であって、上記フレームに設置される照明装置本体と、上記照明装置本体に設置される光源と、上記フレームに照明装置本体を支持するための少なくとも１対の支持部材とを備え、対をなす一方の支持部材と、他方の支持部材とが、互いに対向して配置された位置からずれて設けられていることを特徴としている。
【００１０】
上記の発明によれば、対をなす支持部材が、互いに対向して配置された位置からずれて設けられている。すなわち、対をなす支持部材が、対称配置された位置からずれて（非対称に）設けられている。これにより、複数の照明装置を外部のフレームに隣接して設置したとしても、隣接する照明装置の支持部材同士が、フレームの設置位置（支持位置）で重なり合うことがない（互いに干渉しない）。従って、複数の照明装置をフレームに隣接して設置することができる。
【００１１】
本発明に係る別の照明装置は、上記の課題を解決するために、外部に設けられたフレームに複数隣接して設置することのできる照明装置であって、上記フレームに設置される照明装置本体と、上記照明装置本体に設置される光源と、上記フレームに照明装置本体を支持するための少なくとも１対の支持部材とを備え、対をなす一方の支持部材と、他方の支持部材とが、上記フレームに照明装置を隣接して設置した際に各々の支持部材が重なり合うのを防止すべく設けられていることを特徴としている。
【００１２】
上記の発明によれば、対をなす支持部材が、複数の照明装置をフレームに隣接して設置した際に、隣接する照明装置の各々の支持部材が重ならないように設けられている。これにより、複数の照明装置を外部のフレームに隣接して設置したとしても、隣接する照明装置の支持部材同士が、フレームの設置位置（支持位置）で重なり合うことがない（互いに干渉しない）。従って、複数の照明装置をフレームに隣接して容易且つ確実に設置することができる。
【００１３】
本発明に係る照明装置において、上記フレームから照明装置本体が脱落するのを防止する、少なくとも１対の脱落防止部材を備え、上記少なくとも１対の脱落防止部材は、互いに対向して配置された位置からずれて設けられていることが好ましい。
【００１４】
上記の発明によれば、対をなす脱落防止部材を備えているため、外部のフレームから筐体が脱落するのを防止することができる。さらに、上記の発明によれば、対をなす脱落防止部材が、互いに対向して配置された位置からずれて設けられている。すなわち、対をなす脱落防止部材が、対称配置された位置からずれて（非対称に）設けられている。これにより、複数の照明装置を外部に設けたとしても、隣接する照明装置の脱落防止部材同士が、互いに干渉しない。従って、照明装置本体がフレームから脱落するのを防止しつつ、複数の照明装置をフレームに隣接して設置することができる。
【００１５】
本発明に係る照明装置において、上記支持部材および脱落防止部材は、上記照明装置本体の異なる面に設けられていることが好ましい。
【００１６】
上記の発明によれば、フレームに照明装置本体を支持する支持部材と、フレームから照明装置本体が脱落するのを防止する脱落防止部材とが、照明装置本体における異なる面に設けられている。これにより、照明装置本体における、支持部材と脱落防止部材との干渉を防ぐことができる。従って、照明装置本体がフレームから脱落するのを防止しつつ、安定してフレームに照明装置本体（ひいては照明装置）を支持することができる。
【００１７】
本発明に係る照明装置において、上記支持部材は、２対以上であり、かつ、上記照明装置本体の端部に設けられていてもよい。
【００１８】
上記の発明によれば、複数対の支持部材が、照明装置本体の端部に設けられている。これにより、照明装置が外部のフレームに安定して支持される。従って、振動に強い（耐振性を有する）照明装置を実現することができる。なお、ここでいう「振動」には、人為的な振動および自然発生的な振動が含まれる。すなわち、「耐振性」の範疇には、地震等の振動による「耐震性」も含まれる。
【発明の効果】
【００１９】
以上のように、本発明によれば、複数の照明装置を隣接して設置することのできる照明装置を提供することができるという効果を奏する。
【図面の簡単な説明】
【００２０】
【図１】本発明の照明装置を複数Ｔバーに隣接して設置した状態を天井側からみた概略説明図である。
【図２】本発明の照明装置を複数Ｔバーに隣接して設置した状態を室内側からみた概略説明図である。
【図３】図１および図２の照明装置の斜視図である。
【図４】（ａ）は、上記照明装置において係止フックとＴバーとの係止状態を示す断面図であり、（ｂ）は、支持部材とＴバーとの支持状態を示す断面図である。
【図５】本発明の照明装置を天井側からみた斜視図である。
【図６】本発明の照明装置を天井側からみた斜視図であり、照明装置の光源を照明装置本体から取り外した状態を示す図である。
【図７】本発明の照明装置を天井側からみた斜視図であり、照明装置の電源ユニットを照明装置本体から取り外した状態を示す図である。
【図８】本発明の照明装置に搭載される光源の端面を示す図である。
【図９】本発明の照明装置の斜視図であり、光源が照明装置本体へ装着される状態を示す図である。
【図１０】本発明の照明装置の側面図であり、光源を照明装置本体へ装着した直後の状態を示す図である。
【図１１】（ａ）および（ｂ）は、本発明の照明装置の斜視図であり、光源が照明装置本体へ装着される状態を示す図である。
【図１２】（ａ）および（ｂ）は、本発明の照明装置の斜視図であり、照明装置本体への光源の装着が完了した状態を示す図である。
【図１３】本発明の照明装置の側面図であり、照明装置本体への光源の装着が完了した状態を示す図である。
【図１４】特許文献１の照明装置を床側から見た平面図である。
【発明を実施するための形態】
【００２１】
以下、本発明の一実施形態について図面に基づいて説明する。本実施形態では、システム天井に設置される照明装置について説明するが、本発明の照明装置は、システム天井用に限定されるものではない。また、以下の説明では、便宜上、天井側を上側（上方）、室内側を下側（下方）として説明する。
【００２２】
図２は、本発明の実施の一形態に係る照明装置１ａ、１ｂ、１ｃをＴバー２に隣接して設置した状態を室内側からみた概略説明図である。図３は、図１および図２の照明装置１ａ、１ｂ、１ｃの斜視図である。図２、図３に示すように、照明装置１ａ、１ｂ、１ｃは、それぞれＴバー（フレーム）２に装着されている。照明装置１ａ、１ｂ、１ｃは、同様の構成であるため、以下では、照明装置１ａを中心に説明する。また、以下の説明では、各照明装置１ａ、１ｂ、１ｃの部材を区別する必要のある場合には、部材番号の末尾に照明装置１ａ、１ｂ、１ｃに対応する「ａ」「ｂ」「ｃ」を付し、区別する必要のない場合には、「ａ」「ｂ」「ｃ」を付さずに説明する。
【００２３】
照明装置１ａは、天井に格子状に設置されたＴバー２に装着される照明装置本体１０と、照明装置本体１０の内部に設置された２つの光源１１とを備えている。照明装置本体１０は、照明装置１ａの筺体であり、合成樹脂等から構成される。２つの光源１１は、互いに離間して設けられている。すなわち、光源１１と光源１１との間には、開口１２が形成されている。さらに、光源１１の長手方向とＴバー２との間にも、開口１３が形成されている。
【００２４】
照明装置１ａでは、光源１１として、ＬＥＤ（発光ダイオード）を用いている。光源１１は、ＬＥＤの他に、ＬＥＤが実装された基板、ＬＥＤを点灯するための回路等の各種部品を備えた光源ユニットとして構成される。ＬＥＤ（発光ダイオード）は、長寿命、低消費電力といった利点を有する。ただし、光源１１は、ＬＥＤに限定されるものではなく、蛍光灯、有機ＥＬ等その他の発光素子を用いることも可能である。照明装置１ａの中央に形成された開口１２には、天井ボード、空調、スピーカー等の照明装置１ａ以外の設備を設置してもよい。
【００２５】
なお、図２、図３に示すように、照明装置１ｂは、照明装置１ａにおける光源１１の短手方向に隣接して設けられ、照明装置１ｃは、照明装置１ｂにおける光源１１の長手方向に隣接して設けられている。つまり、照明装置１ａ、１ｂが隣接する方向と、照明装置１ｂ、１ｃとが隣接する方向とは、互いに垂直となっている。
【００２６】
一方、図１は、照明装置１ａ、１ｂ、１ｃをＴバー２に隣接して設置した状態を天井側からみた概略説明図である。図１に示すように、照明装置１ａは、光源１１の天井側にも、光源１１の長手方向に２つの開口１４，１５が形成されている。このように、照明装置１ａには、室内側の開口１２，１３と、天井側の開口１４とが形成されている。これにより、これらの開口１２，１３，１４，１５を通して外気を循環させることができる。従って、光源１１が発熱したとしても、外部に効果的に放熱することができる。
【００２７】
照明装置１ａは、Ｔバー２に係止される１対の係止フック（脱落防止部材）１６ａ・１６ａと、Ｔバー２に照明装置本体１０を支持するための２対の支持部材１７ａ・１７ａ、１７ａ’・１７ａ’とを備えている。係止フック１６ａ・１６ａは、バネ性を有し照明装置本体１０における光源１１の長手方向に対して垂直方向の対辺（図１における水平方向）に設けられている。支持部材１７ａ・１７ａは、照明装置本体１０における光源１１の長手方向に対して平行な方向の対辺（図１における垂直方向）に設けられている。つまり、係止フック１６ａ・１６ａと、支持部材１７ａ・１７ａ、１７ａ’・１７ａ’とは、照明装置本体１０における異なる面（具体的には互いに異なる位置の垂直な面）に設置されている。
【００２８】
図４の（ａ）は、係止フック１６ａとＴバー２との係止状態を示す断面図であり、図４の（ｂ）は、支持部材１７ａとＴバー２との支持状態を示す断面図である。図４の（ａ）に示すように、係止フック１６ａは、Ｔバー２の天井側からＴバー２の頂面２ａと離間しつつ、回り込み、係止フック１６ａの先端部に形成された係止部１６ｅがＴバー２に着脱可能に係止されている。これにより、Ｔバー２からから照明装置本体１０が脱落するのを防止することが可能となる。
【００２９】
これに対し、図４の（ｂ）に示すように、支持部材１７ａ（支持部材１７ａ’も同様）は、Ｔバー２の頂面２ａと当接する当接面（支持面）１７ｉを有している。これにより、照明装置１ａの重量は、支持部材１７ａを介して、Ｔバー２によって支持される。従って、照明装置１ａ（照明装置本体１０）は、支持部材１７ａによってＴバー２に安定して保持される。
【００３０】
ここで、図１に示すように、照明装置１ａでは、対をなす支持部材１７ａ・１７ａおよび１７ａ’・１７ａ’は、いずれも、互いに対向して配置された位置からずれて設けられている。具体的には、図１中に距離Ｘ１、距離Ｘ２として示すように、一方の支持部材１７ａ（１７ａ’）と、他方の支持部材１７ａ（１７ａ’）とでは、照明装置本体１０の端部までの距離が異なっている（距離Ｘ１≠距離Ｘ２）。図中の破線Ｌ１は、対をなす支持部材１７ａ・１７ａが、対向配置された場合の中心位置を示す。対をなす支持部材１７ａ・１７ａは、破線Ｌ１で示す対向配置された位置からずれて（非対称に）設けられている。これにより、図１に示すように、照明装置１ａと照明装置１ｂとを光源１１の短手方向（長手方向に対して垂直方向）に隣接して設置しても、照明装置１ａの支持部材１７ａと、照明装置１ｂの支持部材１７ｂとが、Ｔバー２の設置位置（支持位置）で重なり合うことがない（互いに干渉しない）。従って、光源１１の長手方向に対して垂直方向に、複数の照明装置１ａ、１ｂを、Ｔバー２に隣接して容易且つ確実に設置することができる。
【００３１】
言い換えれば、Ｔバー２に照明装置１ａ、１ｂ、１ｃを隣接して設置した際に、照明装置１ａに設けられた支持部材１７ａ（１７ａ’）と、照明装置１ｂに設けられた支持部材１７ｂ（１７ｂ’）とが、互いに重ならないように設けられている。つまり、Ｔバー２に照明装置１ａ、１ｂ、１ｃを隣接して設置した際に、各々の支持部材１７ａ，１７ａ’，１７ｂ，１７ｂ’１７ｃ，１７ｃ’が重なり合うのを防止すべく設けられている。従って、複数の照明装置１ａ、１ｂ、１ｃをＴバー２に隣接して容易且つ確実に設置することができる。
【００３２】
図１の例では、支持部材１７ａ・１７ａ、１７ａ’・１７ａ’は、照明装置本体１０における対向する対辺の端部に設けられている。これにより、照明装置１ａ、１ｂ、１ｃがＴバー２に安定して支持される。従って、振動に強い（耐振性を有する）照明装置１ａ、１ｂ、１ｃの設置を実現することができる。このため、支持部材１７ａ・１７ａ、１７ａ’・１７ａ’は、照明装置本体１０の端部に設けられていることが好ましい。なお、ここでいう「振動」には、人為的な振動および自然発生的な振動が含まれる。すなわち、「耐振性」の範疇には、地震等の振動による「耐震性」も含まれる。
【００３３】
なお、支持部材１７ａ・１７ａ、１７ａ’・１７ａ’は、少なくとも１対備えていればよい。また、複数の照明装置１ａ、１ｂ、１ｃをＴバー２に隣接して設置する際に、互いに重なり合わない（干渉しない）範囲であれば、複数対の支持部材１７ａ・１７ａ・・・を備えていてもよい。
【００３４】
さらに、本実施形態の照明装置１ａでは、１対の係止フック１６ａ・１６ａも、対をなす係止フック１６ａ・１６ａが、互いに対向して配置された位置からずれて設けられている。具体的には、図１中の破線Ｌ２は、係止フック１６ａ・１６ａが設けられた照明装置本体１０の中心線を示す。係止フック１６ａ・１６ａは、破線Ｌ２で示す中心線から、ずれて設けられている。すなわち、対をなす係止フック１６ａ・１６ａが、対向配置された位置からずれて（非対称に）設けられている。これにより、図１に示すように、照明装置１ｂと照明装置１ｃとを、光源１１の長手方向に隣接して設置しても、照明装置１ｂの係止フック１６ｂと、照明装置１ｃの係止フック１６ｃとが、Ｔバー２の設置位置（係止位置）で重なり合うことがない（互いに干渉しない）。従って、光源１１の長手方向に、複数の照明装置１ｂ、１ｃを、隣接してＴバー２に容易且つ確実に設置することができる。
【００３５】
なお、係止フック１６ａ・１６ａは、少なくとも１対備えていればよい。また、複数の照明装置１ａ、１ｂ、１ｃをＴバー２に隣接して設置する際に、互いに重なり合わない（干渉しない）範囲であれば、複数対の係止フック１６ａ・１６ａ・・・を備えていてもよい。
【００３６】
また、照明装置１ａでは、Ｔバー２に照明装置本体１０を支持する支持部材１７ａ・１７ａ、１７ａ’・１７ａ’と、Ｔバー２から照明装置本体１０が脱落するのを防止する係止フック１６ａ・１６ａとが、照明装置本体１０における異なる面に設けられている。これにより、照明装置本体１０における、支持部材１７ａ・１７ａ、１７ａ’・１７ａ’と係止フック１６ａ・１６ａとの干渉（重なり合う）を防ぐことができる。従って、照明装置本体１０がＴバー２から脱落するのを防止しつつ、安定してＴバーに照明装置本体１０（ひいては照明装置１ａ）を支持することができる。
【００３７】
次に、このような照明装置１ａ、１ｂ、１ｃにおける光源１１の電源ユニット１９の交換方法について説明する。図５は、照明装置１ａを天井側からみた斜視図である。図６は、照明装置１ａを天井側からみた斜視図であり、照明装置１ａの光源１１を照明装置本体１０から取り外した状態を示す図である。図７は、照明装置１ａを天井側からみた斜視図であり、照明装置１ａの電源ユニット１９を照明装置本体１０から取り外した状態を示す図である。
【００３８】
図５に示すように、照明装置本体１０の側面には、光源１１（図５には示さず）の長手方向の両端部と、照明装置本体１０とを固定するために、ビス（固定部材）１８が設けられている。光源１１を取り外す際には、まず照明装置１ａの隣のグリッドに設置された設置部材（照明装置の場合もある）を取り外す。これにより、照明装置１ａのビス１８を緩めることが可能になる。次に、図６に示すように、ビス１８を外すと、光源１１が、照明装置１ａの照明装置本体１０から外れる。照明装置本体１０の内部には、光源１１に電力を供給する電源ユニット１９が設けられている。このため、光源１１を取り外すと、電源ユニット１９が露出する。光源１１には、ＤＣ線（直流線）２１が中継コネクタ２２を介して接続されている。一方、電源ユニット１９には、光源１１の調光用の調光線２３およびＡＣ線（交流線）２４が接続されている。次に、光源１１から中継コネクタ２２を取り外す。
【００３９】
なお、照明装置本体１０の内側面には、内側面から垂直な平面を有するが突出部２５が形成されている。これにより、光源１１と、突出部２５の平面とが当接することによって、照明装置本体１０の内部における光源１１の高さ方向の位置合わせが可能となる。
【００４０】
次に、図７のように、電源ユニット１９から調光線２３およびＡＣ線（交流線）２４を取り外す。最後に、電源ユニット１９と照明装置本体１０とを固定するビス２６を外し、電源ユニット１９を交換することが可能となる。電源ユニット１９の交換後は、電源ユニット１９を取り外すときと、逆の操作を行えばよい。
【００４１】
ところで、図５に示すように、光源１１が照明装置本体１０にビス１８のみで固定されていると、光源１１の交換時や振動等により、光源１１が落下する可能性がある。そこで、光源１１は、照明装置本体１０からの落下を防止する対策が施されていることが好ましい。例えば、図８は、照明装置１ａ、１ｂ、１ｃに搭載される別の光源１１Ａの端面を示す図である。図９〜図１３は、光源１１Ａを照明装置本体１０へ装着する状態を順番に示す図である。具体的には、図９は、照明装置１ａの斜視図であり、光源１１Ａが照明装置本体１０へ装着される状態を示す図である。図１０は、照明装置１ａの側面図であり、光源１１Ａを照明装置本体１０へ装着した直後の状態を示す図である。図１１の（ａ）および（ｂ）は、照明装置１ａの斜視図であり、光源１１Ａが照明装置本体１０へ装着される状態を示す図である。図１２の（ａ）および（ｂ）は、照明装置１ａの斜視図であり、照明装置本体１０への光源の装着が完了した状態を示す図である。図１３は、照明装置１ａの側面図であり、照明装置本体１０への光源１１Ａの装着が完了した状態を示す図である。
【００４２】
図８に示すように、光源１１Ａは、天井側の面１１ｂ（照射面１１ａとは反対の面）１１ｂを、照明装置本体１０の内部における光源１１Ａの高さ方向の位置合わせ面としている。さらに、光源１１Ａは、天井側の面１１ｂに沿って、係止溝１１ｃが形成されている。
【００４３】
このような光源１１Ａを照明装置本体１０へ装着するためには、まず、図９に示すように、光源１１Ａを照明装置本体１０の開口１３にはめ込む。このとき、光源１１Ａの長手方向の側面を、その側面に対向する照明装置本体１０の側面に近づけて、光源１１Ａを開口１３にはめ込む。
【００４４】
図１０に示すように、光源１１Ａの端面と対向する照明装置本体１０の内面には、その面に対して垂直な面を有する突出部２５が形成されている。一方、図９に示すように光源１１Ａを開口１３にはめ込むと、図１１に示すように、光源１１Ａの長手方向の側面と、その側面に対向する照明装置本体１０の側面とが近接した状態となる。このような状態では、図１０に示すように、光源１１Ａの天井側の面１１ｂと、照明装置本体１０の突出部２５とが当接する。ただし、突出部２５は、光源１１Ａの係止溝１１ｃにはまっていないため、光源１１Ａは、落下しやすい。
【００４５】
次に、図１１に示すように、光源１１Ａを、照明装置本体１０の中央部に向かって（開口１２側へ）スライドさせる。その結果、図１２に示すように、光源１１Ａの長手方向の側面と、照明装置本体１０とが離間して設けられる。このような状態では、図１３に示すように、突出部２５が光源１１Ａの係止溝１１ｃにははまった状態となる。つまり、光源１１Ａは照明装置本体１０にロックされるため、光源１１Ａは簡単には落下しない。そして、最後に、ビス１８によって、光源１１Ａを照明装置本体１０に固定し、光源１１Ａの装着が完了する。図１３に示すように、照明装置本体１０への光源１１Ａの装着が完了した状態では、突出部２５が光源１１Ａの係止溝１１ｃにはまっている（係止された状態となっている）。このため、ビス１８を取り外したとしても、光源１１Ａは照明装置本体１０から簡単には落下しない。従って、光源１１の交換（装着）作業を容易かつ安全に行うことが可能となる。
【００４６】
なお、本実施形態では、２対の支持部材と、１対の係止フック（脱落防止部材）とを備えた照明装置について説明した。しかし、支持部材および係止フックは、少なくとも１対備えていればよい。また、複数の照明装置を隣接して設置する際に、互いに重なり合わない（干渉しない）範囲であれば、複数対の支持部材および係止フックを備えていてもよい。また、本実施形態では、Ｔバー２にて囲まれる形状（照明装置の支持される処の形状）がスクエア型に形成（配置）されたシステム天井用の照明装置について説明した。しかし、Ｔバー２の形状は、スクエア型に限定されるものではない。例えば、照明装置の形状に応じて形成すればよい。
【００４７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００４８】
１ａ    照明装置
１ｂ    照明装置
１ｃ    照明装置
２    Ｔバー（フレーム）
１０    照明装置本体
１６ａ  係止フック（脱落防止部材）
１６ｂ  係止フック（脱落防止部材）
１６ｃ  係止フック（脱落防止部材）
１７ａ  支持部材
１７ｂ  支持部材
１７ｃ  支持部材
【図１】
2012226879.tif 000003
【図２】
2012226879.tif 000004
【図３】
2012226879.tif 000005
【図４】
2012226879.tif 000006
【図５】
2012226879.tif 000007
【図６】
2012226879.tif 000008
【図７】
2012226879.tif 000009
【図８】
2012226879.tif 000010
【図９】
2012226879.tif 000011
【図１０】
2012226879.tif 000012
【図１１】
2012226879.tif 000013
【図１２】
2012226879.tif 000014
【図１３】
2012226879.tif 000015
【図１４】
2012226879.tif 000016